(57)【要約】      （修正有） 【課題】子供を交通事故から守る為に、歩行者の存在を確認することができる反射機能を有する靴を提供する。【解決手段】カジュアルシューズ、運動用シューズ、サンダル等であり、靴の前方、後方、右方、左方、下方に光再帰反射材４ａ、４ｂ、４ｃ、４ｄが配置されており、全ての方向に対して反射機能を有し、甲被と靴底には、光再帰反射材が固着一体化されおり、靴底には、靴底接地面に凹部を設け、その中に光再帰反射材が埋設されている。【選択図】図１
0003121771.tif 000002
【実用新案登録請求の範囲】
【請求項１】
靴の前方、後方、右方、左方、下方に光再帰反射材が配置されており、全ての方向に対して反射機能を有することを特徴とする靴。
【請求項２】
請求項１記載の靴において、甲被と靴底には、光再帰反射材が固着一体化されていることを特徴とする靴。
【請求項３】
請求項１記載の靴において、靴底接地面に凹部を設け、その中に光再帰反射材が埋設されていることを特徴とする靴。
【請求項４】
請求項１、２、３記載のうちいずれか１つの靴は、カジュアルシューズ、運動用シューズ、サンダルであることを特徴とする靴。
【考案の詳細な説明】
【技術分野】
【０００１】
本考案は、靴の甲被や靴底に光再帰反射材を設けた靴及びサンダルに関する。
【背景技術】
【０００２】
夜間や薄暗い時刻に路上にいる歩行者は、自動車の運転手から見えにくく交通事故に遭う危険がある。
そこで、自動車によるこのような危険を避ける為に、路上の歩行者は、自動車のライトが当たるとその光を反射して運転手に自己の存在を確実に知らせることが必要である。
従来の靴においては、反射機能を甲被や靴底の一部に有する靴はあるが、反射機能が、一部の場所に限られているので、歩行者や走行者の動きにより向きが変われば、自動車の運転手からは見えないという欠点があった。
この他に、裾の長いズボンを着用した場合においては、光再帰反射材を甲被の一部に使用していた為、光再帰反射材がその裾により覆い隠されてしまって、その機能を発揮することができない不具合があった。
また、従来の靴は、光再帰反射材そのものを甲被の飾り部品の全面に使用していた為、デザイン面に考慮した靴があまりなかった。
従来、靴底面に光再帰反射材を装着した靴の種類はヒールの高いフォーマルタイプの踏まず部分に装着するデザインにかぎられていた。
【特許文献１】実開昭５５−４５８３８
【特許文献２】実開平１−１６１６０８
【考案の開示】
【考案が解決しようとする課題】
【０００３】
解決しようとする課題は、デザイン性を損なうことなく、着用する衣服や歩行者の動きにより向きが変わっても全ての方向に対して反射機能を有する靴を提供することである。
【課題を解決するための手段】
【０００４】
本考案の靴は、靴の前方、後方、右方、左方、下方に光再帰反射材が配置されており、全ての方向に対して反射機能を有することを特徴とする。
靴の前方とは、靴を置いたときつま先から見える部分をいう。
靴の後方とは、靴を置いたとき踵から見える部分をいう。
靴の右方とは、靴を置いたとき右から見える部分をいう。（今回は図面に記載していないが、左方と反対側の同じ範囲を示す。）
靴の左方とは、靴を置いたとき左から見える部分をいう。
靴の下方とは、靴底面をいう。
図３は、靴の前方と下方の範囲を示す。
図４は、靴の後方と下方の範囲を示す
図５は、靴の左方と下方の範囲を示す。
本考案の靴においては、靴底面にも光再帰反射材を配置しているので、裾の長いズボンを着用した場合においても、踵部分の光再帰反射材がズボンの裾に隠れても、歩行の際、靴底面が、後方からのライトに対しても反射機能を有する。
【０００５】
次に、本考案の靴は、靴の前方、後方、右方、左方、下方に光再帰反射材が配置されており、全ての方向に対して反射機能を有し、甲被と靴底には光再帰反射材が固着一体化されていることを特徴とする。
ここで、固着一体化とは、熱圧着、止着、添着、貼着、接着，融着、縫着、熱融着、高周波に
よる熱融着等により一体化されていることをいう。
甲被と靴底には、光再帰反射材が固着一体化されているので、デザイン面でよくマッチし、普通のデザインの靴と変わらず、暗がりでは、光をよく反射し視認性を高めることができる。
【０００６】
さらに、本考案の靴は、靴の前方、後方、右方、左方、下方に光再帰反射材が配置されており、全ての方向に対して反射機能を有し、前記靴底には、靴底接地面に凹部を設け、その中には、光再帰反射材が埋設されていることを特徴とする。
本考案の靴においては、靴底接地面に凹部を設け、その中に光再帰反射材が埋設されているので、歩行または走行時に靴の踵を上げた時、後方からのライトに対して反射機能を有するとともに、光再帰反射材の表面が地面に接触することが無いため、光再帰反射材が磨耗・汚損されず、反射機能を維持することができる。
【考案の効果】
【０００７】
本考案の靴は、靴の履用者が歩行または走行時に靴踵を上げたとき、靴の前方、後方、右方、左方、下方に光再帰反射材が配置されており、全ての方向に対して反射機能を有するので、自動車のどの方向からのライトに対しも確実に反射し、歩行者の存在を見落とすことなく確認することができる。
【０００８】
また、前記甲被と靴底には、光再帰反射材が固着一体化されているので、デザイン的によくマッチするとともに、視認性を高めることができる。
【０００９】
また、前記靴底には、靴底接地面に凹部を設け、その中には、光再帰反射材が埋設されているので、歩行または走行時に靴の踵を上げた時、後方からのライトに対して反射機能を有するとともに、光再帰反射材が地面に接触する事がないので、磨耗・汚損されず、反射機能を低下させない。
従来、靴底面に光再帰反射材を装着した靴の種類はヒールの高いフォーマルタイプの踏まず部分に装着することにデザインがかぎられていたが、今回靴底面に凹部を設けて、その中に光再帰反射材を埋設することにより限られたタイプのデザインだけでなく、運動用シューズ、カジュアルシューズ、サンダル等のあらゆるタイプのシューズに対応できるようになった。
【考案を実施するための最良の形態】
【００１０】
通学に使用する子供靴に全方向からの光に対し反射機能を有するよう光再帰反射材を使用することにより、デザイン的に優れた交通安全のための靴を実現した。
【実施例】
【００１１】
図１は、本考案に係る光再帰反射材を有する実施例の靴を側面からみた図である。
図２は、本考案に係る光再帰反射材を有する実施例の靴の底面に光再帰反射材を設けた図である。
図１に示す運動用の子供靴を製造した。
甲被には、先飾り、サイド飾り（甲の内側及び外側共）、甲バンド等の飾り部品を設けている。
甲被には、靴の前方、左方、右方に光再帰反射材を配置した。靴の前方には先飾りの光再帰反射材と、甲バンドの光再帰反射材を設けた。靴の左方には、左サイド飾りの光再帰反射材を設け、図面には記載していないが、靴の右方にも右サイド飾りの光再帰反射材を各々４箇所に設けた。先飾りや左右のサイド飾りの上に帯状の光再帰反射材のシートを置き高周波により融着し一体化した。
靴底には、靴の後方に踵部の再帰反射材を設け、靴の下方には、靴底面の光再帰反射材を設けた。
図２に示すように靴底踏まず部に縦方向に帯状の凹部を設け、その中に再帰反射材の帯状のシートを埋設した。
光再帰反射材には、反射面に球状のガラスビーズが規則正しく配列されている高輝度タイプのものを使用した。
【産業上の利用可能性】
【００１２】
本考案の靴は、光再帰反射材が甲被および靴底に意匠の一部として配置されているので、デザイン的にも子供靴の通学履きとして好適であり、全方向からの光に対し反射機能を有するので、交通安全の為の靴として好ましい。
【図面の簡単な説明】
【００１３】
【図１】本考案の靴を側面図
【図２】本考案の靴底の底面図
【図３】本考案の靴の前方と下方の範囲を示す図
【図４】本考案の靴の後方と下方の範囲を示す図
【図５】本考案の靴の左方と下方の範囲を示す図
【符号の説明】
【００１４】
１  靴
２  靴底
３  甲被
４ａ  先飾りの光再帰反射材
４ｂ  甲バンドの光再帰反射材
４ｃ  左サイド飾りの光再帰反射材
４ｄ  踵部の光再帰反射材
４ｅ  靴底面の光再帰反射材
５  靴の前方
６  靴の後方
７  靴の左方
８  靴の下方
【図１】
0003121771.tif 000003
【図２】
0003121771.tif 000004
【図３】
0003121771.tif 000005
【図４】
0003121771.tif 000006
【図５】
0003121771.tif 000007